【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
複数の基地局の中から通信に適した基地局を選定して通信を行う移動体通信システムにおいて、前記移動体の現在位置を中心に一定領域内の周辺基地局を抽出する抽出手段と、前記各周辺基地局に対して、前記移動体の移動する方向に基づく所定の重み係数演算を施し、前記各周辺基地局が持つそれぞれの電界強度に前記係数演算した結果を反映させることにより通信に適した基地局を選定する基地局選定手段と
を有することを特徴とする通信装置。
【請求項２】
前記移動体の現在位置を検出する現在位置検出手段と、
前記移動体の移動目的地を設定入力する移動目的地設定入力手段と、
前記現在位置検出手段と移動目的地設定入力手段とにより、前記移動体の移動方向を推定する進行方向推定手段と、
を有することを特徴とする請求項１記載の通信装置
【請求項３】
前記基地局選定手段は、前記進行方向推定手段により推定された移動体の進行方向である目的地方位と前記抽出手段により抽出された各周辺基地局との方位を演算し、得られる基地局方位と前記目的地方位とをそれぞれ対比して目的地方位に近い基地局方位になる周辺基地局程重み付けが為されるような演算を行うことを特徴とする請求項２に記載の通信装置。
【請求項４】
前記進行方向推定手段は、前記現在位置検出手段から得られる移動体の現在位置データと、前記移動目的地設定入力手段を介して得られる目的地位置データがなすベクトルの方向（目的地偏角）を前記目的地方位とすることを特徴とする請求項３に記載の通信装置。
【請求項５】
前記基地局選定手段は、前記抽出手段により抽出された周辺基地局のそれぞれと前記現在位置検出手段により検出された現在位置が成すベクトルの方向（基地局偏角）を演算し、得られる前記基地局偏角と前記目的地偏角との差分を求め、この差分が小さい基地局ほど通信に適した基地局候補とする係数演算を施し、基地局ＩＤと前記係数演算の結果をセットとする基地局候補テーブルを作成することを特徴とする請求項４に記載の通信装置。
【請求項６】
前記基地局選定手段は、更に、前記周辺基地局の電界強度測定結果からハンドオーバ可能な電界強度レベルを持つ周辺基地局を得、前記基地局候補テーブルを参照することにより、当該周辺基地局が持つ電界強度に係数演算した結果を反映させることにより各電界強度に重み付けを付し、この重み付け電界強度の大きい基地局を通信に適した基地局として選定することを特徴とする請求項５に記載の通信装置。
【請求項７】
複数の基地局の中から通信に適した基地局を選定して通信を行う移動体通信システムにおいて、衛星から発せられる電波を一定間隔毎受信し、現在位置データを前記時間間隔に同期して出力する受信部と、前記受信部から供給される最新の現在位置データを記憶する現在位置記憶部と、利用者により目的地を示す位置情報が設定入力される操作部と、サービスエリア毎に設置されている各基地局の位置データを含む地図情報が格納される地図情報記憶部と、前記操作部から設定入力された目的地データと、前記現在位置記憶部に記憶されている現在位置データがなすベクトルの方向（目的地偏角）により、利用者が現在移動しようとしている方位を推定しデータとして候補基地局選定部へ供給する進行方向推定部と、現在位置データに基づいて地図データ記憶部を検索し、現在位置を中心として所定範囲内のエリアに存在する全ての基地局位置データを取得し、取得した各基地局の基地局位置データと現在位置データとのなすそれぞれのベクトル方向（基地局偏角）を演算し、得られる基地局偏角と前記目的地偏角とをそれぞれ対比して目的地偏角に近い基地局偏角となる周辺基地局を通信に適した基地局の候補とする係数演算を施し、更に、前記各周辺基地局が持つ電界強度に前記係数演算した結果を反映させることにより、通信に適した基地局を選定する候補基地局選定部とを有することを特徴とする通信装置。
【請求項８】
複数の基地局の中から通信に適した基地局を選定して通信を行う移動体通信システムに用いられ、移動体の現在位置を所定の間隔で検出すると共に、前記移動体の移動目的地を設定入力し、前記移動体の現在位置を中心に、移動する方向において最も近い距離に位置する周辺基地局を通信に適した基地局候補とするような係数演算を施し、前記各周辺基地局が持つそれぞれの電界強度に前記係数演算した結果を反映させることにより通信に適した基地局を選定することを特徴とする通信方法。
【請求項９】
前記移動体の現在位置から目的地方位を推定し、現在地を中心に一定領域内の周辺基地局を抽出して現在地と前記抽出された各周辺基地局との方位を演算し、得られる基地局方位と前記目的地方位とをそれぞれ対比して目的地方位に近い基地局方位になる周辺基地局を通信に適した基地局候補とする係数演算を実行し、前記各周辺基地局が持つ電界強度に前記係数演算した結果を反映させることにより、通信に適した基地局を選定することを特徴とする請求項８に記載の通信方法。
【手続補正２】
【補正対象書類名】明細書
【補正対象項目名】０００８
【補正方法】変更
【補正の内容】
【０００８】
【課題を解決するための手段】上記目的を達成するために本発明の通信装置は、複数の基地局の中から通信に適した基地局を選定して通信を行う移動体通信システムにおいて、前記移動体の現在位置を中心に一定領域内の周辺基地局を抽出する抽出手段と、前記各周辺基地局に対して、前記移動体の移動する方向に基づく所定の重み係数演算を施し、前記各周辺基地局が持つそれぞれの電界強度に前記係数演算した結果を反映させることにより通信に適した基地局を選定する基地局選定手段とを有することを特徴とする。
【手続補正３】
【補正対象書類名】明細書
【補正対象項目名】０００９
【補正方法】変更
【補正の内容】
【０００９】
また、本発明の通信装置は、複数の基地局の中から通信に適した基地局を選定して通信を行う移動体通信システムにおいて、衛星から発せられる電波を一定間隔毎受信し、現在位置データを前記時間間隔に同期して出力する受信部と、前記受信部から供給される最新の現在位置データを記憶する現在位置記憶部と、利用者により目的地を示す位置情報が設定入力される操作部と、サービスエリア毎に設置されている各基地局の位置データを含む地図情報が格納される地図情報記憶部と、操作部から設定入力された目的地データと、現在位置記憶部に記憶されている現在位置データがなすベクトルの方向（目的地偏角）により、利用者が現在移動しようとしている方位を推定しデータとして候補基地局選定部へ供給する進行方向推定部と、現在位置データに基づいて地図データ記憶部を検索し、現在位置を中心として所定範囲内のエリアに存在する全ての基地局位置データを取得し、取得した各基地局の基地局位置データと現在位置データとのなすそれぞれのベクトル方向（基地局偏角）を演算し、得られる基地局偏角と目的地偏角とをそれぞれ対比して目的地偏角に近い基地局偏角となる周辺基地局を通信に適した基地局の候補とする係数演算を施し、更に、前記各周辺基地局が持つ電界強度に前記係数演算した結果を反映させることにより、通信に適した基地局を選定する候補基地局選定部とを有することも特徴とする。
【手続補正４】
【補正対象書類名】明細書
【補正対象項目名】００１０
【補正方法】変更
【補正の内容】
【００１０】
本発明の通信方法は、複数の基地局の中から通信に適した基地局を選定して通信を行う移動体通信システムに用いられ、移動体の現在位置を所定の間隔で検出すると共に、移動体の移動目的地を設定入力し、移動体の現在位置を中心に、移動する方向において最も近い距離に位置する周辺基地局を通信に適した基地局候補とするような係数演算を施し、各周辺基地局が持つそれぞれの電界強度に前記係数演算した結果を反映させることにより通信に適した基地局を選定することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】